(57)【要約】【課題】  製造容易で軽量化され且つ耐久性を備え、また必要に応じて所望の絵柄で装飾できる軽量俎板を提供する。【解決手段】適宜な扁平凹部空間１３を形成した下方板１と、前記下方板１に積層して扁平凹部空間を塞ぐ上方板２と、前記凹部空間に内装される板状の軽量心材３とで構成される軽量俎板であって、上下各板の外周面における対接面側に、外周方向へ適宜な厚みの接合突縁１４，２１を形成すると共に、上方板２の接合突縁２１の複数個所に切欠部２２を設け、下方板１の接合突縁１４に前記切欠部２２と対応する嵌合突部１５を設けて、前記切欠部２２に嵌合突部１５を嵌合して上下板を積層し、上下板の接合突縁１４，２１の上下面及び外周を被覆して凹部空間を密封する縁部４を設けてなる。【選択図】図２
0003202902.tif 000002
【実用新案登録請求の範囲】
【請求項１】
適宜な扁平凹部空間を形成した下方板と、前記下方板に積層して扁平凹部空間を塞ぐ上方板と、前記凹部空間に内装される板状の軽量心材とで構成される軽量俎板であって、上下各板の外周面における対接面側に、外周方向へ適宜な厚みの接合突縁を形成すると共に、上方板の接合突縁の複数個所に切欠部を設け、下方板の接合突縁に前記切欠部と対応する嵌合突部を設けて、前記切欠部に嵌合突部を嵌合して上下板を積層し、上下板の接合突縁の上下面及び外周を被覆して凹部空間を密封する縁部を設けてなることを特徴とする軽量俎板。
【請求項２】
接合突縁を全周面に形成すると共に、切欠部及び嵌合突部の形成箇所が、縁部成形時の射出ゲート箇所と対応してなる請求項１記載の軽量俎板。
【請求項３】
縁部成型時の射出金型の対角線位置の４か所に設けられた射出ゲート箇所の全てと対応する位置に、切欠部及び嵌合突部を設けてなる請求項２記載の軽量俎板。
【請求項４】
上下板の一方又は双方を透明又は半透明材で形成すると共に、軽量心材の表面に適宜な模様色彩を備えてなる請求項１乃至３記載の何れかの軽量俎板。
【請求項５】
縁部をエラストマー樹脂で形成して柔軟縁部としてなる請求項１乃至４記載の何れかの軽量俎板。
【請求項６】
縁部の上下面を、上下板の表面と面一としてなる請求項１乃至５記載の何れかの軽量俎板。
【考案の詳細な説明】
【技術分野】
【０００１】
本考案は、取扱い容易な軽量俎板並びに色彩模様（図柄）などが表示された装飾俎板に関するものである。
【背景技術】
【０００２】
軽量俎板で、且つ装飾俎板として特許文献１（登録実用新案第３１８５５４７号公報）には、上面を透明とした扁平箱型形状の樹脂製の上下板との間に、軽量板状の装飾用心材を内装して俎板本体を構成し、前記の俎板本体の縁部を柔軟樹脂で密封した装飾俎板が示されている。
【０００３】
前記の装飾俎板における上下板の重ね合わせ構造は、上下板の一方に他方の周壁端面部分が密嵌載置される内周段差部を設けて接ぎ合わせ、前記内周段差部の外周部分を俎板基体の側面からの突出条に形成し、突出条の上下面及び外周を被覆するようにして、上下板の接ぎ目を含む俎板基体の全側面を、成形手段で形成した縁部で密封したものである。
【先行技術文献】
【特許文献】
【０００４】
【特許文献１】登録実用新案第３１８５５４７号公報。
【考案の概要】
【考案が解決しようとする課題】
【０００５】
上記した軽量俎板は、上方板と異質材の縁部との接合面が、上方板の外周端面のみであるから、経年変化によって縁部との接合面が剥離すると、当該剥離個所から内部空間に水分の侵入の虞があり、更には上方板が外れてしまう虞もある。
【０００６】
また構造の簡素化を考慮して単に上下板を重ね合わせ、重ね合わせ部分を縁部で被覆する構造を採用した場合には、縁部を射出成形する際に、射出ゲートからの射出圧が重ね合わせ箇所に直接加わり、重ね合わせ箇所の隙間に侵入し、上下板の捲れが生じてしまう虞がある。
【０００７】
そこで本考案は、経年変化による上方板の縁部からの剥離の問題を解消すると共に、構造の簡素化に伴う縁部射出成型の問題も解決した新規な軽量俎板を提案したものである。
【課題を解決するための手段】
【０００８】
本考案の請求項１記載に係る軽量俎板は、適宜な扁平凹部空間を形成した下方板と、前記下方板に積層して扁平凹部空間を塞ぐ上方板と、前記凹部空間に内装される板状の軽量心材とで構成される軽量俎板であって、上下各板の外周面における対接面側に、外周方向へ適宜な厚みの接合突縁を形成すると共に、上方板の接合突縁の複数個所に切欠部を設け、下方板の接合突縁に前記切欠部と対応する嵌合突部を設けて、前記切欠部に嵌合突部を嵌合して上下板を積層し、上下板の接合突縁の上下面及び外周を被覆して凹部空間を密封する縁部を設けてなることを特徴とするものである。
【０００９】
而して前記俎板は、上下板が切欠部と嵌合突部の嵌合で正確な位置決めがなされ、当該状態で上下板の接合突縁を縁部で被覆することで、板状の軽量心材を収納した凹部空間を密閉し、上下板を一体化して軽量化を実現する。上方板と異質材の縁部との接合面が、上方板の外周上端面と接合突縁の上面及び端縁となり、経年変化による剥離を考慮する必要がない。
【００１０】
また本考案の請求項２記載に係る軽量俎板は、上記の切欠部及び嵌合突部の形成箇所が、縁部成形時の射出ゲート箇所と対応してなるもので、射出ゲートから高い圧力を以て射出される縁部形成用樹脂は、嵌合突部に衝突したのち上下板外周に添って誘導される。この結果上下板の接合突縁が重なった箇所の隙間に直接射出圧が加わるのを回避し、前記隙間に樹脂の侵入の虞を無くして、上下板の捲れが防止できる。
【００１１】
また本考案の請求項３記載に係る軽量俎板は、切欠部及び嵌合突部の形成箇所が、更に縁部成型時の射出金型の対角線位置の４か所に設けられた射出ゲート箇所の全てと対応する位置に、切欠部及び嵌合突部を設けてなるものである。
【００１２】
従って縁部形成射出金型において、射出ゲートを少なくとも対角線上の４か所に設けることで、縁部成型時の射出圧によって、上下板が金型内で動くことが防止される。
【００１３】
また本考案の請求項３記載に係る軽量俎板は、上下板を透明又は半透明材で形成すると共に、軽量心材の表面に適宜な模様色彩を備えてなるもので、軽量板状心材の表面に直接模様色彩を施すか或いは適宜な模様色彩を施した紙シートを配置して、軽量であると共に、任意の色彩模様を備えることができる。
【考案の効果】
【００１４】
本考案の構成は上記のとおりで、俎板の本体部分を上下板及び内部空間を充たす軽量板状心材で構成することで軽量俎板を実現し、上下板の外周端面に設けた突出縁を当接すると共に、適宜箇所に設けた切欠部と嵌合突部を嵌合して上下板の正確な位置決めを行って、縁部による接合突縁を被覆するもので、経年変化による縁部と上下板の剥離が生じたとしても、内部空間の密封が解除され難く、耐久性に優れた俎板としたものである。
【図面の簡単な説明】
【００１５】
【図１】本考案の実施形態の一部省略した正面図。
【図２】同分解斜視図。
【図３】同上下板の接合突縁の嵌合説明図。
【図４】同縁部の拡大断面図。
【考案を実施するための形態】
【００１６】
次に本発明の実施形態について説明する。実施形態に示した軽量俎板は、下方板１と、上方板２と、軽量心材３と、縁部４で形成される。
【００１７】
下方板１及び上方板２は、俎板の本体部分（包丁が当たる調理表面）となるもの、ＰＰ樹脂等を採用し、俎板として機能する所定の硬度を備えたものであり、また図示した例は矩形はであるが、その他卵形等の所望の形状を採用できる。勿論装飾俎板とする場合には、透明な材質を採用する。
【００１８】
下方板１は、底板部１１の外周に内縁１２を設けて内方を凹部空間１３に形成したものである。上方板２は、前記下方板１の内部空間１３に蓋をする板形状である。
【００１９】
そして下方板１及び上方板２の外周面における対接面側（下方板１は上方、上方板２は下方）には、外周方向へ適宜な厚みの接合突縁１４，２１を全周面に形成する。特に上方板２の上方接合突縁２１には、適宜複数個所に適宜長さ分だけ上方接合突縁２１を形成しない切欠部２２を設けるものである。また下方板１の下方接合突縁１４には、前記切欠部２２を充たす形状の嵌合突部１５を設けたものである。
【００２０】
また前記の切欠部２２及び嵌合突部１５の形成箇所は、後述する縁部４の成形時の射出ゲート箇所と対応する位置に設ける。
【００２１】
軽量心材３は、段ボール板、発泡スチロールなど任意の材質で、前記凹部空間１３と一致する厚さ及び大きさに形成し、凹部空間１３に内地するものであり、装飾俎板とする場合には、軽量心材３に直接印刷処理して所望の色彩模様としても良いし、別に所望の色彩模様を印刷した模様シートを軽量心材３の上下面（表裏面）に配置しても良い。
【００２２】
縁部４は、エラストマー樹脂等の柔軟樹脂で形成されるもので、軽量心材３を凹部空間１３に内置し、切欠部２２に嵌合突部１５を嵌合して、上方板２と下方板１を積層し、それぞれの接合突縁２１，１４が互いに密着した状態で、射出成形金型にセットして、射出成形で縁部４が形成される。
【００２３】
特に射出金型における射出ゲートを少なくとも対角線上の４か所に設けておくと、樹脂の射出圧がバランス良く上下板２，１に加わるので、縁部成型時の射出圧によって、上下板２，１が金型内で動くことが防止される。
【００２４】
また前記の射出成形に際して、射出ゲートから高い圧力を以て射出される縁部形成用樹脂は、嵌合突部１５に衝突した後に上下板２，１の外周に添って流れ、上下接合突縁２１，１４が重なった箇所の隙間に直接射出圧が加わることが無く、前記隙間に射出樹脂が侵入する虞を無くして、樹脂の侵入による上下板２，１の捲れが防止できるものである。
【００２５】
而して前記俎板は、切欠部２２と嵌合突部１５の嵌合で上方板２と下方板１の積層が正確な位置でなされ、当該状態で接合突縁１４，２１を縁部４で被覆することで、板状の軽量心材３を収納した凹部空間１３を密閉し、上下板２，１を一体化した軽量の俎板となるものである。
【００２６】
また特に上下板２，１の一方又は双方を透明又は半透明材で形成し、軽量心材３に所望の色彩模様を付与することで、装飾俎板とすることもできる。
【符号の説明】
【００２７】
１      下方板
１１    底板部
１２    内縁
１３    凹部空間
１４    下方接合突縁
１５    嵌合突部
２      上方板
２１    上方接合突縁
２２    切欠部
３      軽量心材
４      縁部
【図１】
0003202902.tif 000003
【図２】
0003202902.tif 000004
【図３】
0003202902.tif 000005
【図４】
0003202902.tif 000006